(57)【要約】【課題】リセット期間を短縮でき、一つの走査電極が二つの表示ラインを駆動できるプラズマ表示装置及びその駆動方法を提供すること。【解決手段】プラズマ表示装置は、複数第１電極（Ｙ電極３２）と複数第２電極（Ｘ電極３１）が行方向に伸び、第１電極と第２電極に垂直な方向（列方向）に複数第３電極（Ａ電極１１）が伸びている。複数表示ラインＬ１〜Ｌ２ｎ−１が、第１電極及び第２電極の間に形成され、各表示ラインと各第３電極により各放電セル１７、２８が定義される。上記プラズマ表示装置は、リセット期間で複数の放電セル１７、２８を初期化し、第１アドレス期間で、第２電極のうちの第１グル−プの第２電極と、第１電極によって形成される複数の第１表示ラインで点灯される放電セルを選択し、第２アドレス期間で、第２電極のうちの第２グル−プの第２電極と、第１電極によって形成される複数の第２表示ラインで点灯される放電セルを選択する。【選択図】図５
2007034297.tif 000002
【特許請求の範囲】
【請求項１】
複数の第１電極及び複数の第２電極と、前記第１電極及び前記第２電極に垂直な方向に形成される複数の第３電極と、複数の表示ライン及び複数の放電セルと、を含み、前記各表示ラインは、隣接した前記第１及び前記第２電極の間に定義され、前記各表示ライン及び前記各第３電極によって前記各放電セルが定義されるプラズマ表示装置を駆動する方法において：
リセット期間で、前記複数の放電セルを初期化する段階と；
第１アドレス期間で、前記複数の第２電極のうちの第１グル−プの第２電極と、前記複数の第１電極によって形成される複数の第１表示ラインと、で点灯される放電セルを選択する段階と；
第２アドレス期間で、前記複数の第２電極のうちの第２グル−プの第２電極と、前記複数の第１電極によって形成される複数の第２表示ラインと、で点灯される放電セルを選択する段階と；
を含むことを特徴とする、プラズマ表示装置の駆動方法。
【請求項２】
前記複数の第１表示ラインで、点灯される放電セルを選択する段階は、
前記第１グル−プの第２電極に、第１電圧を印加し、前記第２グル−プの第２電極に、前記第１電圧より高い第２電圧を印加する段階と、
前記複数の第２表示ラインで、点灯される放電セルを選択する段階は、
前記第２グル−プの第２電極に、前記第１電圧を印加し、前記第１グル−プの第２電極に前記第２電圧を印加する段階と、
を含むことを特徴とする、請求項１に記載のプラズマ表示装置の駆動方法。
【請求項３】
前記複数の第１表示ラインで、点灯される放電セルを選択する段階は、
前記複数の第１電極に、順次に、第１走査電圧を印加し、前記第１走査電圧が印加されていない、残りの第１電極に、前記第１走査電圧より低い電圧を印加する段階をさらに含み、
前記複数の第２表示ラインで、点灯される放電セルを選択する段階は、
前記複数の第１電極に、順次に、第２走査電圧を印加し、前記第２走査電圧が印加されていない、残りの第１電極に前記第２走査電圧より低い電圧を印加する段階をさらに含むことを特徴とする、請求項２に記載のプラズマ表示装置の駆動方法。
【請求項４】
前記複数の第１表示ラインで、点灯される放電セルを選択する段階は、
前記第１走査電圧が印加された、前記第１電極によって形成される放電セルの中で、前記点灯される放電セルを通る、前記第３電極にアドレス電圧を印加する段階をさらに含み、
前記複数の第２表示ラインで、点灯される放電セルを選択する段階は、
前記第２走査電圧が印加された、前記第１電極によって形成される放電セルの中で、前記点灯される放電セルを通る、前記第３電極に前記アドレス電圧を印加する段階をさらに含むことを特徴とする、請求項３に記載のプラズマ表示装置の駆動方法。
【請求項５】
前記複数の第１表示ラインで、点灯される放電セルを選択する段階は、
前記アドレス電圧が印加されていない第３電極に、前記アドレス電圧より低い電圧を印加する段階をさらに含み、
前記複数の第２表示ラインで、点灯される放電セルを選択する段階は、
前記アドレス電圧が印加されていない第３電極に、前記アドレス電圧より低い電圧を印加する段階をさらに含むことを特徴とする、請求項４に記載のプラズマ表示装置の駆動方法。
【請求項６】
前記リセット期間で、前記複数の放電セルを初期化する段階は、
前記複数の第２電極に、第３電圧を印加した状態で、前記第１電極の電圧を漸進的に減少させる段階と；
前記複数の第２電極に、前記第３電圧より低い第４電圧を印加した状態で、前記第１電極の電圧を漸進的に増加させる段階と；
を含むことを特徴とする、請求項２〜５のいずれかに記載のプラズマ表示装置の駆動方法。
【請求項７】
前記第１電極の電圧を、漸進的に減少させる段階は、
前記複数の第３電極に前記第３電圧より低い第５電圧を印加する段階を含み、
前記第１電極の電圧を、漸進的に増加させる段階は、
前記複数の第３電極に前記第４電圧を印加する段階を含むことを特徴とする、請求項６に記載のプラズマ表示装置の駆動方法。
【請求項８】
維持期間において、前記複数の第１電極と前記複数の第２電極に、第６電圧と前記第６電圧より低い第７電圧と、を交互に印加する段階をさらに含むことを特徴とする、請求項１〜７のいずれかに記載のプラズマ表示装置の駆動方法。
【請求項９】
前記第１及び第２グル−プのうちの一つのグル−プは、奇数番目の前記第２電極を含み、残り一つのグル−プは、偶数番目の前記第２電極を含むことを特徴とする、請求項８に記載のプラズマ表示装置の駆動方法。
【請求項１０】
複数の第１電極及び複数の第２電極と、
前記第１電極及び前記第２電極に垂直な方向に形成される、複数の第３電極と、
隣接した前記第１及び前記第２電極の間に定義される、複数の表示ラインと、
前記各表示ライン及び前記各第３電極によって定義される複数の放電セルと、
を含むプラズマ表示パネルと；
リセット期間で、前記複数の放電セルを初期化し、
第１アドレス期間で、前記複数の第２電極のうちの第１グル−プの第２電極及び前記複数の第１電極によって形成される、複数の第１表示ラインで点灯される放電セルを選択した後、第２アドレス期間で、前記複数の第２電極のうちの第２グル−プの第２電極及び前記複数の第１電極によって形成される、複数の第２表示ラインで点灯される放電セルを選択する駆動部と；
を備えることを特徴とする、プラズマ表示装置。
【請求項１１】
前記駆動部は、
前記第１アドレス期間で、前記第１グル−プの第２電極に第１電圧を印加し、前記第２グル−プの第２電極に、前記第１電圧より高い第２電圧を印加し、
前記第２アドレス期間で、前記第２グル−プの第２電極に前記第１電圧を印加し、前記第１グル−プの第２電極に、前記第２電圧を印加することを特徴とする、請求項１０に記載のプラズマ表示装置。
【請求項１２】
前記駆動部は、
前記第１アドレス期間で、前記複数の第１電極に、順次に、第３電圧を印加し、前記第３電圧が印加されていない、残りの第１電極に、前記第３電圧より低い第４電圧を印加し、
前記第２アドレス期間で、前記複数の第１電極に、順次に、第５電圧を印加し、前記第５電圧が印加されていない、残りの第１電極に、前記第５電圧より低い第６電圧を印加することを特徴とする、請求項１１に記載のプラズマ表示装置。
【請求項１３】
前記駆動部は、
前記第１アドレス期間で、前記第３電圧が印加された前記第１電極によって形成される放電セルの中で前記点灯されるセルを通る、前記第３電極に第７電圧を印加し、
前記第２アドレス期間で、前記第５電圧が印加された前記第１電極によって形成される放電セルの中で前記点灯されるセルを通る、前記第３電極に第８電圧を印加することを特徴とする、請求項１２に記載のプラズマ表示装置。
【請求項１４】
前記駆動部は、
前記リセット期間の第１期間の間に、前記第１電極の電圧から前記第２電極の電圧を引いた電圧と、前記第１電極の電圧から前記第３電極の電圧を引いた電圧と、を各々漸進的に減少させ、
前記リセット期間の第２期間の間に、前記第１電極の電圧から前記第２電極の電圧を引いた電圧と、前記第１電極の電圧から前記第３電極の電圧を引いた電圧と、を各々漸進的に増加させ、
前記第１電極から前記第２電極の電圧を引いた前記第１期間の最終電圧の絶対値が、前記第１電極から前記第３電極の電圧を引いた前記第１期間の最終電圧の絶対値より、大きいことを特徴とする、請求項１０〜１３のいずれかに記載のプラズマ表示装置。
【請求項１５】
前記第１及び第２グル−プのうちの一つのグル−プは、奇数番目の前記第２電極を含み、残り一つのグル−プは、偶数番目の前記第２電極を含むことを特徴とする、請求項１４に記載のプラズマ表示装置。
【請求項１６】
複数の第１電極及び複数の第２電極と、
前記第１電極及び前記第２電極に垂直な方向に形成される、複数の第３電極と、
複数の表示ライン及び複数の放電セルと、
を含み、
前記各表示ラインは、隣接した前記第１及び第２電極の間に定義され、
前記各表示ライン及び前記各第３電極によって前記各放電セルが定義される、プラズマ表示装置を駆動する方法において：
リセット期間で、前記複数の放電セルを初期化する段階と；
第１アドレス期間で、前記複数の第２電極のうちの第１グル−プの第２電極及び前記複数の第１電極によって形成される複数の第１表示ラインで、点灯される放電セルを選択する段階と；
を含み、
前記複数の第１表示ラインで、点灯される放電セルを選択する段階は、
前記複数の第２電極のうちの第１グル−プの第２電極と前記複数の第２電極のうちの第２グル−プの第２電極に、各々第１電圧と第２電圧を印加し、前記複数の第１電極に、順次に、第３電圧を印加する段階と；
前記第３電圧が印加される前記第１電極によって形成される放電セルの中で、点灯される放電セルの第３電極に、前記第３電圧と同一極性の第４電圧を印加する段階と；
を含むことを特徴とする、プラズマ表示装置の駆動方法。
【請求項１７】
第２アドレス期間で、前記第２グル−プの第２電極及び前記複数の第１電極によって形成される、複数の第２表示ラインで点灯される放電セルを、選択する段階をさらに含み、
前記複数の第２表示ラインで、点灯される放電セルを選択する段階は、
前記第１グル−プの第２電極と第２グル−プの第２電極に、各々前記第２電圧と前記第１電圧を印加し、前記複数の第１電極に、順次に、前記第３電圧を印加する段階と；
前記第３電圧が印加される前記第１電極によって形成される放電セルの中で、点灯される放電セルの前記第３電極に、前記第４電圧を印加する段階と；
を含むことを特徴とする、請求項１６に記載のプラズマ表示装置の駆動方法。
【請求項１８】
前記複数の第１と第２表示ラインで、前記点灯される放電セルを選択する段階は、
前記第３電圧が印加されていない前記第１電極に、前記第３電圧より低い第５電圧を印加する段階をさらに含み、
前記第１電圧が、前記第２電圧より低い電圧であることを特徴とする、
請求項１７に記載のプラズマ表示装置の駆動方法。
【請求項１９】
前記複数の第１と第２表示ラインで、前記点灯される放電セルを選択する段階は、
前記第３電圧が印加されていない前記第１電極に、前記第３電圧より高い第５電圧を印加する段階をさらに含み、
前記第１電圧が、前記第２電圧より高い電圧であることを特徴とする、請求項１７に記載のプラズマ表示装置の駆動方法。
【発明の詳細な説明】
【技術分野】
【０００１】
本発明は、プラズマ表示装置及びその駆動方法に関するものである。
【背景技術】
【０００２】
プラズマ表示装置は、気体放電によって生成されたプラズマを利用して文字または映像を表示する、プラズマ表示パネルを利用した表示装置である。
【０００３】
このようなプラズマ表示装置の表示パネルは、一つのフレ−ムがそれぞれの加重値を持つ複数のサブフィ−ルドに分割されて駆動され、各サブフィ−ルドはリセット期間、アドレス期間及び維持期間で構成される。リセット期間は、アドレス放電を安定的に行うために放電セルの状態を初期化する期間であり、アドレス期間は、アドレス放電を通じて複数の放電セルの中で点灯されるセルを選択する期間である。また、維持期間は、実際に画像を表示するために点灯されるセルに対して維持放電を行う期間である。
【０００４】
プラズマ表示パネルは、列方向に伸びている複数のアドレス電極Ａ１〜Ａｍ、そして行方向に伸びている複数の維持電極Ｘ１〜Ｘｎ、及び走査電極Ｙ１〜Ｙｎを含む。また、維持電極と走査電極との間には放電による表示ラインが形成され、表示ラインと、Ａ電極との交差部にある放電空間が放電セルを形成する。
【０００５】
特許文献１には、一つの走査電極が二つの表示ラインで共通に使用される技術が開示されている。つまり、まず、一つの走査電極を隣接した二つの表示ラインで共通に使用するために、複数の維持電極を奇数番目維持電極と偶数番目維持電極に分ける。その後、隣接した表示ラインのうちの一方の表示ラインの走査電極と維持電極の壁電荷状態は、アドレス放電が可能な状態にし、これと隣接した他の表示ラインの走査電極と維持電極の壁電荷状態は、これと反対にアドレス放電が起こらない状態に設定する。設定によって、ある一つの表示ラインで先にアドレス放電を起こして点灯される放電セルを選択した後、これと隣接した他の表示ラインでアドレス放電を起こして点灯される放電セルを選択する。その結果、一つの走査電極が一つの表示ラインを形成することに比べて、走査電極及び維持電極の数を、半分に縮小することができる。
【０００６】
【特許文献１】米国特許出願公開第２００２／０１９０９３０号明細書
【発明の開示】
【発明が解決しようとする課題】
【０００７】
しかし、従来のプラズマ表示パネルによれば、隣接した表示ラインの走査電極と維持電極の壁電荷状態をそれぞれ別に制御するために、リセット期間ＴＲ１ｂ、ＴＲ２ｂを二回行うことによってリセット期間が長くなるという問題点がある。
【０００８】
そこで、本発明は、このような問題に鑑みられてなされたものであって、その目的は、リセット期間を短縮させることができ、一つの走査電極が二つの表示ラインを駆動することが可能な、新規かつ改良されたプラズマ表示装置及びその駆動方法を提供することにある。
【課題を解決するための手段】
【０００９】
上記課題を解決するために、本発明のある観点によれば、複数の第１電極及び複数の第２電極と、第１電極及び第２電極に垂直な方向に形成される、複数の第３電極と、複数の表示ライン及び複数の放電セルと、を含み、各表示ラインは、隣接した第１及び第２電極の間に定義され、各表示ライン及び各第３電極によって各放電セルが定義されるプラズマ表示装置を駆動する方法において、リセット期間で、複数の放電セルを初期化する段階と、第１アドレス期間で、複数の第２電極のうちの第１グル−プの第２電極と、複数の第１電極によって形成される複数の第１表示ラインと、で点灯される放電セルを選択する段階と、第２アドレス期間で、複数の第２電極のうちの第２グル−プの第２電極と、複数の第１電極によって形成される複数の第２表示ラインと、で点灯される放電セルを選択する段階と、を含む、プラズマ表示装置の駆動方法が提供される。
【００１０】
また、複数の第１表示ラインで、点灯される放電セルを選択する段階は、第１グル−プの第２電極に、第１電圧を印加し、第２グル−プの第２電極に、第１電圧より高い第２電圧を印加する段階と、複数の第２表示ラインで、点灯される放電セルを選択する段階は、第２グル−プの第２電極に、第１電圧を印加し、第１グル−プの第２電極に第２電圧を印加する段階と、を含むとしてもよい。
【００１１】
また、複数の第１表示ラインで、点灯される放電セルを選択する段階は、複数の第１電極に、順次に、第１走査電圧を印加し、第１走査電圧が印加されていない、残りの第１電極に、第１走査電圧より低い電圧を印加する段階をさらに含み、複数の第２表示ラインで、点灯される放電セルを選択する段階は、複数の第１電極に、順次に、第２走査電圧を印加し、第２走査電圧が印加されていない、残りの第１電極に第２走査電圧より低い電圧を印加する段階を、さらに含むとしてもよい。
【００１２】
また、複数の第１表示ラインで、点灯される放電セルを選択する段階は、第１走査電圧が印加された、第１電極によって形成される放電セルの中で、点灯される放電セルを通る、第３電極にアドレス電圧を印加する段階をさらに含み、複数の第２表示ラインで、点灯される放電セルを選択する段階は、第２走査電圧が印加された、第１電極によって形成される放電セルの中で、点灯される放電セルを通る、第３電極にアドレス電圧を印加する段階を、さらに含むとしてもよい。
【００１３】
また、複数の第１表示ラインで、点灯される放電セルを選択する段階は、アドレス電圧が印加されていない第３電極に、アドレス電圧より低い電圧を印加する段階をさらに含み、複数の第２表示ラインで、点灯される放電セルを選択する段階は、アドレス電圧が印加されていない第３電極に、アドレス電圧より低い電圧を印加する段階を、さらに含むとしてもよい。
【００１４】
また、リセット期間で、複数の放電セルを初期化する段階は、複数の第２電極に、第３電圧を印加した状態で、第１電極の電圧を漸進的に減少させる段階と、複数の第２電極に、第３電圧より低い第４電圧を印加した状態で、第１電極の電圧を漸進的に増加させる段階と、を含むとしてもよい。
【００１５】
また、第１電極の電圧を、漸進的に減少させる段階は、複数の第３電極に第３電圧より低い第５電圧を印加する段階を含み、第１電極の電圧を、漸進的に増加させる段階は、複数の第３電極に第４電圧を印加する段階を、含むとしてもよい。
【００１６】
また、維持期間において、複数の第１電極と複数の第２電極に、第６電圧と第６電圧より低い第７電圧と、を交互に印加する段階を、さらに含むとしてもよい。
【００１７】
また、第１及び第２グル−プのうちの一つのグル−プは、奇数番目の第２電極を含み、残り一つのグル−プは、偶数番目の第２電極を、含むとしてもよい。
【００１８】
また、上記課題を解決するために、本発明の別の観点によれば、複数の第１電極及び複数の第２電極と、第１電極及び第２電極に垂直な方向に形成される、複数の第３電極と、隣接した第１及び第２電極の間に定義される、複数の表示ラインと、各表示ライン及び各第３電極によって定義される複数の放電セルと、を含むプラズマ表示パネルと、リセット期間で、複数の放電セルを初期化し、第１アドレス期間で、複数の第２電極のうちの第１グル−プの第２電極及び複数の第１電極によって形成される、複数の第１表示ラインで点灯される放電セルを選択した後、第２アドレス期間で、複数の第２電極のうちの第２グル−プの第２電極及び複数の第１電極によって形成される、複数の第２表示ラインで点灯される放電セルを選択する駆動部と、を備える、プラズマ表示装置が提供される。
【００１９】
また、駆動部は、第１アドレス期間で、第１グル−プの第２電極に第１電圧を印加し、第２グル−プの第２電極に、第１電圧より高い第２電圧を印加し、第２アドレス期間で、第２グル−プの第２電極に第１電圧を印加し、第１グル−プの第２電極に、第２電圧を印加してもよい。
【００２０】
また、駆動部は、第１アドレス期間で、複数の第１電極に、順次に、第３電圧を印加し、第３電圧が印加されていない、残りの第１電極に、第３電圧より低い第４電圧を印加し、第２アドレス期間で、複数の第１電極に、順次に、第５電圧を印加し、第５電圧が印加されていない、残りの第１電極に、第５電圧より低い第６電圧を印加してもよい。
【００２１】
また、駆動部は、第１アドレス期間で、第３電圧が印加された第１電極によって形成される放電セルの中で点灯されるセルを通る、第３電極に第７電圧を印加し、第２アドレス期間で、第５電圧が印加された第１電極によって形成される放電セルの中で点灯されるセルを通る、第３電極に第８電圧を印加してもよい。
【００２２】
また、駆動部は、リセット期間の第１期間の間に、第１電極の電圧から第２電極の電圧を引いた電圧と、第１電極の電圧から第３電極の電圧を引いた電圧と、を各々漸進的に減少させ、リセット期間の第２期間の間に、第１電極の電圧から第２電極の電圧を引いた電圧と、第１電極の電圧から第３電極の電圧を引いた電圧と、を各々漸進的に増加させ、第１電極から第２電極の電圧を引いた第１期間の最終電圧の絶対値が、第１電極から第３電極の電圧を引いた第１期間の最終電圧の絶対値より、大きいとしてもよい。
【００２３】
また、第１及び第２グル−プのうちの一つのグル−プは、奇数番目の第２電極を含み、残り一つのグル−プは、偶数番目の第２電極を含むとしてもよい。
【００２４】
また、上記課題を解決するために、本発明の別の観点によれば、複数の第１電極及び複数の第２電極と、第１電極及び第２電極に垂直な方向に形成される、複数の第３電極と、複数の表示ライン及び複数の放電セルと、を含み、各表示ラインは、隣接した第１及び第２電極の間に定義され、各表示ライン及び各第３電極によって各放電セルが定義される、プラズマ表示装置を駆動する方法において、リセット期間で、複数の放電セルを初期化する段階と、第１アドレス期間で、複数の第２電極のうちの第１グル−プの第２電極及び複数の第１電極によって形成される複数の第１表示ラインで、点灯される放電セルを選択する段階と、を含み、複数の第１表示ラインで、点灯される放電セルを選択する段階は、複数の第２電極のうちの第１グル−プの第２電極と複数の第２電極のうちの第２グル−プの第２電極に、各々第１電圧と第２電圧を印加し、複数の第１電極に第３電圧を印加する段階と、第３電圧が印加される第１電極によって形成される放電セルの中で、点灯される放電セルの第３電極に、第３電圧と同一極性の第４電圧を印加する段階と、を含む、プラズマ表示装置の駆動方法が提供される。
【００２５】
また、第２アドレス期間で、第２グル−プの第２電極及び複数の第１電極によって形成される、複数の第２表示ラインで点灯される放電セルを、選択する段階をさらに含み、複数の第２表示ラインで、点灯される放電セルを選択する段階は、第１グル−プの第２電極と第２グル−プの第２電極に、各々第２電圧と第１電圧を印加し、複数の第１電極に、第３電圧を印加する段階と、第３電圧が印加される第１電極によって形成される放電セルの中で、点灯される放電セルの第３電極に、第４電圧を印加する段階と、を含むとしてもよい。
【００２６】
また、複数の第１と第２表示ラインで、点灯される放電セルを選択する段階は、
第３電圧が印加されていない第１電極に、第３電圧より低い第５電圧を印加する段階をさらに含み、第１電圧が、第２電圧より低い電圧であるとしてもよい。
【００２７】
また、複数の第１と第２表示ラインで、点灯される放電セルを選択する段階は、
第３電圧が印加されていない第１電極に、第３電圧より高い第５電圧を印加する段階をさらに含み、第１電圧が、第２電圧より高い電圧であるとしてもよい。
【発明の効果】
【００２８】
以上説明したように、本発明によれば、リセット期間を短縮させることができ、一つの走査電極（第２電極）が二つの表示ラインを駆動することができる。
【発明を実施するための最良の形態】
【００２９】
以下、添付した図面を参照して、本発明の実施形態について本発明の属する技術分野における通常の知識を有する者が、容易に実施できるように、詳細に説明する。しかし、本発明は、多様で相異なる形態に実現することができ、ここで説明する実施形態に限定されない。図面で本発明を明確に説明するために、説明上不必要な部分は省略した。なお、本明細書及び図面において、実質的に同一の機能構成を有する構成要素については、同一の符号を付することにより重複説明を省略する。
【００３０】
また、本発明の実施形態における壁電荷とは、各放電セルの壁面（例えば、誘電体層）上で各電極に近く形成される、電荷のことをいう。そして壁電荷は、実際に電極自体に接触されないが、ここでは電極に“形成される”、“蓄積される”または“積まれる”のように説明する。また、壁電圧は、壁電荷によって各放電セルに形成される電位差をいう。
【００３１】
次に、本発明の実施形態によるプラズマ表示装置について詳細に説明する。
【００３２】
まず、本発明の実施形態によるプラズマ表示装置について図２〜図４を参照して詳しく説明する。
【００３３】
図１は、本発明の実施形態によるプラズマ表示装置を示す図面である。図１に示すように、本発明の実施形態によるプラズマ表示装置は、プラズマ表示パネル１００と、制御部２００と、アドレス電極駆動部３００と、走査電極駆動部４００と、維持電極駆動部５００と、を含む。
【００３４】
プラズマ表示パネル１００は、列方向に伸びている複数のアドレス電極（第３電極の一例、以下。“Ａ電極”という。）Ａ１〜Ａｎと、そして行方向に伸びている複数の維持電極（第２電極の一例。以下、“Ｘ電極”という。）Ｘ１〜Ｘｎと、走査電極（第１電極の一例、以下。“Ｙ電極”という。）Ｙ１〜Ｙｎと、を含む。
【００３５】
制御部２００は、外部から映像信号を受信してＡ電極駆動制御信号と、Ｘ電極駆動制御信号と、Ｙ電極駆動制御信号と、を出力する。そして、制御部２００は、受信した映像信号の複数フレ−ムの各々を、それぞれの輝度加重値を持つ複数のサブフィ−ルドに分割して駆動する。また、各サブフィ−ルドは、時間的な動作変化で表現すれば、リセット期間、アドレス期間及び維持期間で構成される。また、本発明の実施形態によれば、制御部２００は、複数のＸ電極Ｘ１〜Ｘｎを、奇数番目Ｘ電極を含む第１グル−プと、偶数番目Ｘ電極を含む第２グル−プに、分割して駆動する
【００３６】
ただし、第１、２グル−プの各々に含まれる複数のＸ電極Ｘ１〜Ｘｎのグル−プ分けは、本実施形態を説明する上で便宜上、定義されたものである。よって、例えば、第１、２グル−プに含まれる複数Ｘ電極Ｘ１〜Ｘｎは、それぞれ、偶数番目、奇数番目のＸ電極でありうる。
【００３７】
アドレス電極駆動部３００は、制御部２００からＡ電極駆動制御信号を受信して、Ａ電極に駆動電圧を印加する。
【００３８】
走査電極駆動部４００は、制御部２００からＹ電極駆動制御信号を受信して、Ｙ電極に駆動電圧を印加する。
【００３９】
維持電極駆動部５００は、制御部２００からＸ電極駆動制御信号を受信して、Ｘ電極に駆動電圧を印加する。
【００４０】
図２は本発明の第１実施形態によるプラズマ表示パネル１００の電極配列図である。以下で、第１実施形態について図２を参照しながら説明する。
【００４１】
図２に示したように、プラズマ表示パネル１００は、Ａ電極、Ａ電極に垂直に互いに対をなしながら伸びているＸ電極及びＹ電極を含む。Ａ電極の配置される方向を、列方向及びｙ軸方向、Ｘ電極とＹ電極の配置される方向を、行方向及びｘ軸方向とする。
【００４２】
この時、Ａ電極が一つの基板に形成され、Ｘ電極とＹ電極が他の基板に形成されて、両基板が、対向するように配置される。一般に各Ｘ電極Ｘ１〜Ｘｎは、各Ｙ電極Ｙ１〜Ｙｎに対応して形成されている。また、Ｙ電極Ｙ１〜ＹｎとＸ電極Ｘ１〜Ｘｎとの間には、画像を表示するための表示ラインＬ１〜Ｌ(２ｎ−１)が、形成される。
【００４３】
表示ラインＬ１〜Ｌ(２ｎ−１)と、Ａ電極Ａ１〜Ａｍの交差部にある放電空間が、複数の放電セル２８を形成する。複数の放電セル２８は、複数の隔壁２９によって区画されている。複数の隔壁２９は隣り合うＡ電極Ａ１〜Ａｍの間に、Ａ電極と平行に形成される。
【００４４】
Ｘ電極の各々は、幅の狭いバス電極３２ａと、幅の広い透明電極３２ｂを含む。また、Ｙ電極の各々は、幅の狭いバス電極３１ａと、幅の広い透明電極３１ｂを含む。透明電極３１ｂ、３２ｂは、各々、バス電極３１ａ、３２ａと連結されている。
【００４５】
そして、バス電極３１ａ、３２ａ上にも隔壁が形成することによって、放電セル２８を列方向に区画することができうる。
【００４６】
以上が、本発明の第１実施形態による、プラズマ表示パネル１００の電極配置図である。しかし、第１実施形態は、プラズマ表示パネル１００の構造を踏まえた一例であり、以下で説明する駆動波形が適用できる他の構造のパネルにも、本発明は、適用することが可能である。
【００４７】
図３は、本発明の第２実施形態によるプラズマ表示パネルの一部を分解して概略的に示した斜視図である。また、図４は、図３のIV−IV線によるプラズマ表示パネルの断面図である。
【００４８】
図３及び図４に示したように、プラズマ表示パネル１００には一つの基板１０（以下、“背面基板”という。）と他の基板２０（以下、“前面基板”という。）が互いに所定の間隔をおいて対向配置されている。背面基板１０と前面基板２０との間の空間には複数の放電セル１７が形成されている。
【００４９】
Ａ電極１１が背面基板１０上に列方向（ｙ軸方向）に伸びており、誘電層１３がＡ電極１１を覆いながら背面基板１０上に形成される。Ａ電極１１は、隣接するＡ電極１１と一定の間隔をおいて平行に形成される。誘電層１３上には、Ａ電極１１が伸びている方向（ｙ軸方向）及びこれに直交する方向（ｘ軸方向）に沿って隔壁１６が、形成されている。このように格子形状に形成された、隔壁１６によって放電セル１７が、区画される。そして隔壁１６の側面と誘電層１３上には蛍光層１９が形成されており、放電セル１７領域に各々、赤色、緑色及び青色の蛍光層１９が形成されて放電セル１７の色相を決める。そして図３及び図４では隔壁１６を格子形状状に示したが、帯状または格子形状以外の他の閉鎖型構造に形成してもよい。
【００５０】
前面基板２０と背面基板１０との間には、誘電層３０が形成されており、誘電層３０は、隔壁１６に対応して列方向（ｙ軸方向）と行方向（ｘ軸方向）に沿って形成されている。隔壁１６と同様に、格子形状に形成された誘電層３０によって、放電セル１７が、区画される。そして誘電層３０内部に行方向（ｘ軸方向）に沿ってＸ電極３１とＹ電極３２が伸びており、保護膜３６が、誘電層３０表面に形成されている。
【００５１】
Ｘ電極３１とＹ電極３２との間には、表示ライン（図示せず。）が、形成されており、表示ラインとＡ電極１１の交差部にある放電空間が、放電セル１７を形成する。Ｘ電極３１とＹ電極３２は、列方向（ｙ軸方向）に沿って隣接する２つの表示ラインに共有する構造で配置され、Ｘ電極３１とＹ電極３２の各々は、その両側に隣接する放電セル１７の維持放電に関与する。つまり、Ｘ電極３１とＹ電極３２は、放電セル１７を間に置いて、対向放電構造で形成されている。この時、各々全てのＸ電極３１とＹ電極３２は、行方向（ｙ軸方向）への長さｗより背面基板１０、前面基板２０に垂直方向（ｚ軸方向）への長さｈが、長く形成されている。このように、Ｘ電極３１とＹ電極３２は、相互対向面積を増大させて、両者の間でより容易な対向放電を誘導することができる。
【００５２】
以上が、本発明の第２実施形態による、プラズマ表示パネル１００の概略構造及び電極配置図である。しかし、第２実施形態は、プラズマ表示パネル１００の構造を踏まえた、一例であり、以下で説明する駆動波形が適用できる他の構造のパネルにも、本発明は、適用することが可能である。
【００５３】
本発明の第１、第２実施形態によれば、Ｘ電極３１、Ｘ１〜ＸｎとＹ電極３２、Ｙ１〜Ｙｎの各々は、隣接した２つの放電セル１７、２８を共有する構造で配置されているために、Ｘ電極とＹ電極が、１つの放電セルを共有する構造に比べて、Ｘ電極３１、Ｘ１〜ＸｎとＹ電極３２、Ｙ１〜Ｙｎの数を、縮小することができる。例えば、５１２個の表示ライン１７を駆動する時、Ｘ電極とＹ電極が一つの放電セルを共有するプラズマ表示装置では、Ｘ電極３１とＹ電極３２は、５１２個が各々必要となる。しかし、本発明の第１、２実施形態のようにＸ電極３１とＹ電極３２の各々が、隣接した２つの放電セル１７、２８を共有するプラズマ表示装置では、Ｘ電極３１、Ｘ１〜Ｘｎ及びＹ電極３２、Ｙ１〜Ｙｎは、５１２個の半分程度のみあればよい。
【００５４】
また、本発明の第１、第２実施形態によれば、Ｘ電極３１、Ｘ１〜ＸｎとＹ電極３２、Ｙ１〜Ｙｎの各々は、隣接した２つの放電セル１７、２８を共有する構造で配置されているために、アドレス期間で点灯させる放電セル１７、２８を選択するためのスキャンＩＣ数を縮小することができる。
【００５５】
次に、図５を参照して、本発明の実施形態によるプラズマ表示装置の駆動波形について、詳細に説明する。以下では、便宜上一つの放電セルを形成するＹ電極３２、Ｙ１〜Ｙｎ、Ｘ電極３１、Ｘ１〜Ｘｎ及びＡ電極１１、Ａ１〜Ａｎに印加される、駆動波形についてのみ、説明する。上記にともない、Ｘ電極、Ａ電極、Ｙ電極の符号は省略する。
【００５６】
図５は本発明の第１及び第２実施形態による、プラズマ表示装置の駆動波形の第１実施形態を示した図面である。以下、本発明の第１及び第２実施形態による、プラズマ表示装置の駆動波形の第１実施形態（以下、駆動波形の第１実施形態とする。）について、説明する。
【００５７】
なお、リセット期間は時間的な動作変化で表現すれば、下降期間と、上昇期間によって構成される。また、アドレス期間は、時間的な動作変化で表現すれば、第１アドレス期間と第２アドレス期間で構成される。
【００５８】
（駆動波形の第１実施形態）
図５に示したように、リセット期間の下降期間では、第１及び第２グル−プのＸ電極にＶｅ電圧を印加し、Ａ電極に基準電圧（図５では、０Ｖとする。）を印加した状態で、Ｙ電極の電圧を０Ｖ電圧からＶｓｅｔ電圧まで漸進的に減少させる。図５では、Ｙ電極の電圧が、ランプ形態に減少することを示した。その結果、Ｙ電極の電圧が減少する間に、Ｙ電極とＸ電極との間及びＹ電極とＡ電極との間で微弱な放電（以下、“弱放電”という。）が起こりながら、Ｙ電極には（＋）壁電荷が形成され、Ｘ電極及びＡ電極には（−）壁電荷が形成される。
【００５９】
引き続き、リセット期間の上昇期間では、第１及び第２グル−プのＸ電極とＡ電極に、基準電圧を印加した状態で、Ｙ電極の電圧をＶｓ電圧からＶｐｆ電圧まで漸進的に増加させる。その結果、Ｙ電極の電圧が増加する間に、Ｙ電極とＸ電極との間及びＹ電極とＡ電極との間で、弱放電が起こりながら、Ｙ電極に形成された（＋）壁電荷とＸ電極及びＡ電極に形成された（−）壁電荷が消去されて、放電セルが、初期化される。この時、リセット期間の下降期間で、Ｘ電極の電位が、Ａ電極の電位に比べて高い状態であるので、Ａ電極には、Ｘ電極に比べて（−）壁電荷が少なく形成されている。したがって、リセット期間の上昇期間で、弱放電によってＡ電極に形成された（−）壁電荷が全て消去され、Ａ電極に逆極性の電荷、つまり、（＋）壁電荷が形成されて上昇期間終了後、各電極の各壁電荷は、図６のように形成できる。
【００６０】
そして、Ｖｐｆ電圧の大きさは、Ｙ電極とＸ電極との間の放電開始電圧近くに、設定できる。その結果、リセット期間終了後にＹ電極とＸ電極との間の壁電圧が、ほとんど０Ｖになって、アドレス期間でアドレス放電が起こらなかったセルが、維持期間（図５中、Ｓｕｓｔａｉｎ  ｐｅｒｉｏｄと表記。）で誤放電することを、防止することができる。
【００６１】
第１アドレス期間では点灯される放電セルを選択するために、第２グル−プのＸ電極（図５、７中にＸ（ｅｖｅｎ）と表記。）に正の電圧Ｖｂを印加し、第１グル−プのＸ電極（図５、７中にＸ（ｏｄｄ）と表記。）に０Ｖ電圧を印加した状態で、Ｙ電極に順次、正の走査電圧ＶｓｃＨを印加する。走査電圧ＶｓｃＨはＶｐｆ電圧と同一であるか高いレベルに設定することができる。この時、走査電圧ＶｓｃＨが印加されたＹ電極と第１グル−プのＸ電極（ｏｄｄ）によって形成される複数の放電セルの中で選択しようとする放電セルを通るＡ電極に正のアドレス電圧Ｖａを印加する。そして、走査電圧ＶｓｃＨが印加されていないＹ電極には、走査電圧ＶｓｃＨより低いＶｓｃＬ電圧が印加され、選択されていない放電セルのＡ電極には０Ｖ電圧が印加される。その結果、走査電圧ＶｓｃＨが印加されたＹ電極と第１グル−プのＸ電極（ｏｄｄ）との間で、アドレス放電が起こって、第１グル−プのＸ電極（ｏｄｄ）側に隣接したＹ電極に（−）壁電荷が形成され、第１グル−プのＸ電極に各々（＋）壁電荷が形成されて、点灯される放電セルが選択される。このように第１アドレス期間では、第１グル−プのＸ電極（ｏｄｄ）とＹ電極によって形成される表示ライン（第１表示ライン）で点灯される放電セルが、選択される。
【００６２】
一般に、リセット期間の上昇期間でＶｐｆ電圧が印加された時、Ｘ電極とＹ電極との間の壁電圧と、Ｘ電極とＹ電極との間の外部電圧Ｖｐｆの合計は、Ｘ電極とＹ電極との間の放電開始電圧で決められる。ところが、第１アドレス期間で第１グル−プのＸ電極（ｏｄｄ）に０Ｖが印加され、Ｙ電極にＶｓｃＨ（＝Ｖｐｆ）電圧が印加される場合、Ｘ電極とＹ電極との間には放電開始電圧Ｖｆａｙ（図示せず）が形成されるので放電が起こり得るが、一般にこの場合の放電遅延時間が走査パルスの幅（ＶｓｃＨが印加される時間幅をあらわす。）より長くて放電は起こらない。しかし、Ｙ電極に
電圧が印加され、Ａ電極にＶａ電圧が印加され、さらに、第１グル−プのＸ電極（ｏｄｄ）に０V電圧が印加されれば、Ｙ電極と第１グル−プのＸ電極（ｏｄｄ）の間だけでなく、Ａ電極と第１グル−プのＸ電極（ｏｄｄ）の間にも電界が形成される。Ａ電極と第１グル−プのＸ電極（ｏｄｄ）の間の上記電界によって第１グル−プのＸ電極（ｏｄｄ）とＹ電極の間でアドレス放電が起こる。この時、アドレス放電をさらによく起こすためにＶｓｃＨ電圧をＶｐｆ電圧より高い電圧に設定することができる。
【００６３】
一方、第１アドレス期間で第２グル−プのＸ電極（ｅｖｅｎ）にはＶｂ電圧が印加されるので、第２グル−プのＸ電極（ｅｖｅｎ）とＹ電極との間の電圧差が、Ｘ電極とＹ電極との間の放電開始電圧より小さくなって、第２グル−プのＸ電極（ｅｖｅｎ）とＹ電極との間ではアドレス放電が起こらない。
【００６４】
次いで、第２アドレス期間で第１グル−プのＸ電極（ｏｄｄ）にＶｂ電圧を印加し、第２グル−プのＸ電極（ｅｖｅｎ）に基準電圧を印加した状態で、Ｙ電極に順次、走査電圧ＶｓｃＨを印加する。この時、走査電圧ＶｓｃＨが印加されたＹ電極によって形成される複数の放電セルの中で、選択しようとする放電セルを通るＡ電極に、アドレス電圧Ｖａが印加される。そして走査電圧ＶｓｃＨが印加されていないＹ電極にはＶｓｃＬ電圧が印加され、選択されていない放電セルのＡ電極には０Ｖ電圧が印加される。その結果、ＶｓｃＨ電圧が印加されたＹ電極及び第２グル−プのＸ電極（ｅｖｅｎ）の間でアドレス放電が起こって、第２グル−プのＸ電極に隣接したＹ電極に（−）壁電荷が形成され、第２グル−プのＸ電極の各々に（＋）壁電荷が形成されて、点灯される放電セルが選択される。このように第２アドレス期間では、第２グル−プのＸ電極（ｅｖｅｎ）とＹ電極によって形成される表示ライン（第２表示ライン）で、点灯される放電セルが選択される。
【００６５】
一方、第１及び第２アドレス期間でこのような動作を行うために、走査電極駆動部４００は、第１及び第２アドレス期間の各々で複数のＹ電極のうちの走査電圧ＶｓｃＨが印加されるＹ電極を選択し、アドレス電極駆動部３００は、１つのＹ電極が選択される時、上記選択されたＹ電極によって形成された放電セルを通るＡ電極Ａ１〜Ａｍのうちのアドレス電圧ＶＡが印加される放電セルを選択する。
【００６６】
維持期間では、Ａ電極に基準電圧が印加された状態で、Ｙ電極とＸ電極にハイレベル電圧（図６ではＶｓ電圧とする。）とロ−レベル電圧（図６では０Ｖ電圧）を交互に持つ、維持放電パルスが反対位相に印加されて、点灯される放電セルのＹ電極とＸ電極との間で、維持放電が起こる。つまり、Ｙ電極にＶｓ電圧が印加される時に、Ｘ電極に０Ｖ電圧が印加され、Ｘ電極にＶｓ電圧が印加される時に、Ｙ電極に０Ｖ電圧が印加される。その結果、第１及び第２アドレス期間でアドレス放電によってＹ電極とＸ電極との間に形成された壁電圧とＶｓ電圧によって、Ｙ電極とＸ電極との間で放電が起こる。その後、Ｙ電極とＸ電極に維持放電パルスを印加する過程が、当該サブフィ−ルドが表示する加重値に対応する回数だけ繰り返される。
【００６７】
このように、本発明の第１及び第２実施形態による、プラズマ表示装置の駆動波形の第１実施形態によれば、複数のＸ電極を二つのグル−プに分け、アドレス期間で上記二つのグル−プのＸ電極に印加される電圧を異ならせて、隣接した放電セルにおけるアドレス放電を制御する。したがって、従来技術とは異なって一回のリセット期間のみ行えばよい。よって、従来に比べてリセット期間を短縮させることができる。
【００６８】
一方、図７のように、本発明のプラズマ表示装置の駆動波形の第１実施形態と異なる、駆動波形にも、本発明は適用することができる。よって、以下で、図７を参照し、駆動波形とは異なる、本発明を適用した駆動波形（以下では、駆動波形の第２の実施形態という）について説明する。
【００６９】
（駆動波形の第２実施形態）
図７は本発明による駆動波形の第２実施形態によるプラズマ表示装置の駆動方法を示した図面である。
【００７０】
図７に示したように、リセット期間及びアドレス期間で、Ｙ電極とＸ電極に印加された電圧は、図５に示された駆動波形で、Ｙ電極とＸ電極に印加された電圧の極性を変更した波形をＶｅ電圧だけ高めた、波形と同一である。そして、維持期間で、Ｙ電極及びＸ電極に印加される電圧は、図５に示された駆動波形でＹ電極とＸ電極に印加された電圧の極性を変更した波形と同一である。また、リセット期間、アドレス期間及び維持期間でＡ電極に印加された電圧は図５に示された駆動波形でＡ電極に印加される電圧の極性を変更した波形と同一である。その結果、Ｙ電極とＸ電極の電圧差は、図５と同一になる。
【００７１】
したがって、本発明による駆動波形の第１実施形態と同一な駆動方法を使用することができ、同一な効果が得られる。
【００７２】
なお、図７では、図５に示された駆動波形の各電圧に対応する電圧を、当該電圧の符号の末尾に符号（’）を付記することで示した。
【００７３】
また、上記本発明による駆動波形の第１及び第２実施形態では第１アドレス期間と第２アドレス期間で、Ｙ電極及びＡ電極に印加される電圧を同一なものと示したが、異なる電圧を印加することもできる。例えば、第１アドレス期間でＹ電極にＶｓｃＨ電圧が印加される場合、第２アドレス期間ではＹ電極にＶｓｃＨ電圧より高い電圧を印加することが出来る。また、第１アドレス期間でＡ電極にＶａ電圧が印加される場合、第２アドレス期間でＡ電極にＶａ電圧より高い電圧を印加することも出来る。一般に放電によって形成されたプライミング粒子及び、または、壁電荷が、時間の経過に伴って消去されるので、後に行われる第２アドレス期間におけるアドレス放電が、不安定になることもある。しかし、後に行われる第２アドレス期間でＹ電極とＡ電極に印加される電圧を高く設定すれば、アドレス放電が安定的に起こり得る。
【００７４】
本発明による上記駆動波形の第１、第２実施形態によれば、リセット期間を一回に短縮することができ、１つの走査電極（Ｙ電極）が２つの表示ラインを駆動することが可能となる。
【００７５】
尚、第１、第２実施形態の各電圧は、以下の電圧にそれぞれ対応する。まず、第１実施形態について説明する。リセット期間の降下期間において、両Ｘ電極に印加されるＶｅ電圧は、請求項６の第３電圧に対応しており、Ａ電極に印加される基準電圧が請求項７に記載の第５電圧に対応する。また、上昇期間における、両Ｘ電極に印加される基準電圧は、第４電圧に対応する。
【００７６】
次に、第１アドレス期間において、第１グループと第２グループの第２電極に印加される、基準電圧とＶｂ電圧は、それぞれ、請求項２、請求項１１、請求項１６における、第１電圧と第２電圧に対応し、Ｙ電極に印加されるＶｓｃＨ電圧は、請求項３の第１走査電圧と請求項１２、１６の第３電圧に対応し、ＶｓｃＬ電圧は、請求項１２の第４電圧と請求項１８の第５電圧に対応し、Ａ電極に印加されるＶａ電圧は、請求項４のアドレス電圧と、請求項１３の第７電圧と、請求項１６の第４電圧に対応する。
【００７７】
第２アドレス期間において、第２グループと第１グループの第２電極に印加される電圧、基準電圧とＶｂ電圧は、それぞれ、請求項２、請求項１１、請求項１７における、第１電圧と第２電圧に対応し、Ｙ電極に印加されるＶｓｃＨ電圧は、請求項３の第２走査電圧と、請求項１２の第５電圧と、請求項１７の第３電圧に対応し、ＶｓｃＬ電圧は、請求項１２の第６電圧と請求項１８の第５電圧に対応し、Ａ電極に印加されるＶａ電圧は、請求項４のアドレス電圧と、請求項１３の第８電圧と、請求項１７の第４電圧に対応する。
【００７８】
そして、維持期間において、Ｘ電極とＹ電極に、印加される、維持放電パルスの、ハイレベル電圧（Ｖｓ電圧）とローレベル電圧（基準電圧）は、それぞれ、請求項８における、第６電圧と第７電圧に対応する。
【００７９】
次に第２実施形態について説明する。図７における、ＶｓｃＬ’、ＶｓｃＨ’は、それぞれ、請求項１９の、第５電圧、第３電圧に対応する。その他の電圧は、上記で説明したように、図５に示された駆動波形の各電圧に対応する電圧に、当該電圧の符号の末尾に符号（’）を付記することで示している。
【００８０】
以上、添付図面を参照しながら本発明の好適な実施形態について説明したが、本発明は係る例に限定されないことはいうまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００８１】
本発明は、プラズマ表示装置及びその駆動方法に適用可能である。
【図面の簡単な説明】
【００８２】
【図１】本発明の実施形態によるプラズマ表示装置を示す図面である。
【図２】本発明の第１実施形態によるプラズマ表示パネルの電極配列図である。
【図３】本発明の第２実施形態によるプラズマ表示パネルの一部を分解して概略的に示した斜視図である。
【図４】図３のIV−IV線によるプラズマ表示パネルの断面図である。
【図５】本発明の第１及び第２実施形態によるプラズマ表示装置の駆動波形を示した図面である。
【図６】図５の駆動波形で上昇期間終了後、各電極の壁電荷状態を示した図面である。
【図７】本発明の第１及び第２実施形態によるプラズマ表示装置の他の駆動波形を示した図面である。
【符号の説明】
【００８３】
１０  背面基板
１１  Ａ電極
１３、３０  誘電層
１６、２９  隔壁
１７、２８  放電セル
１９  蛍光層
２０  前面基板
３１  Ｘ電極
３２  Ｙ電極
３１ａ、３２ａ  バス電極
３１ｂ、３２ｂ  透明電極
３６  保護膜
１００  プラズマ表示パネル
２００  制御部
３００  アドレス電極駆動部
４００  走査電極駆動部
５００  維持電極駆動部
Ａ１〜Ａｍ  アドレス電極（Ａ電極）
Ｌ１〜Ｌ２ｎ−１  表示ライン
Ｘ１〜Ｘｎ  維持電極（Ｘ電極）
Ｙ１〜Ｙｎ  走査電極（Ｙ電極）
【図１】
2007034297.tif 000003
【図２】
2007034297.tif 000004
【図３】
2007034297.tif 000005
【図４】
2007034297.tif 000006
【図５】
2007034297.tif 000007
【図６】
2007034297.tif 000008
【図７】
2007034297.tif 000009